(57)【要約】      （修正有）【課題】光拡散性を有するコンポジットレジン（ＣＲ）や構造色により発色するＣＲなどの、適合する色（シェード）の範囲の広いＣＲ（広範色適合性ＣＲ）について、その優れた効果、具体的には、広範色適合性ＣＲ以外の従来のＣＲに比べた時に、適合可能なシェードの圧倒的な広さ（多さ）を実感できるようなデモンストレーション用器具、或いは、広範色適合性ＣＲの適合シェード範囲を簡単に確認できるようなデモンストレーション用器具を提供する。【解決手段】たとえば所定の位置に窩洞が形成された人工歯であって、それぞれ異なるシェードを有する人工歯の窩洞を単一の広範色適合性ＣＲを用いて修復した複数のサンプルを準備し、陳列面３０を有する陳列用プレート２０の陳列面上に、複数のサンプルを並べて配置・固定することにより、各サンプルの修復部の状態や、被修復人工歯との色調適合性を比較・対比できるようにしたデモンストレーション用器具１０。【選択図】図１
2019211704.tif 000002
【特許請求の範囲】
【請求項１】
コンポジットレジンによる歯牙修復状態を比較するためのデモンストレーション用器具であって、
複数の修復サンプルを並べて保持可能な陳列面を有する陳列用プレートと、
前記陳列面に並べて保持され得る複数の修復サンプルと、を有してなり、
前記複数の修復サンプルを構成する個々の修復サンプルは、それぞれ予め定めた、所定の形状及び所定の色相及び色調を有する人工歯の、予め定めた所定の位置に、予め定めた所定の形状及び深さを有する窩洞が形成されてなるか、又は予め定めた所定の位置に、予め定めた所定の形状の欠損部を設けてなる修復用人工歯の前記窩洞又は欠損部を、コンポジットレジンを用いて修復した修復物であり、
前記個々の修復サンプルは、人工歯部が露出している第一の表面領域及びコンポジットレジンによる修復部が露出している第二の表面領域を有する観察面を有してなり、
前記複数の修復サンプルは、
（１）互いに表面の色相及び／又は色調が異なる複数の前記修復用人工歯の窩洞又は欠損部を、それぞれ同一組成を有する１種類のコンポジットレジンを用いて修復してなる複数の修復サンプル又は
（２）表面の色相及び／又は色調が同一若しくは実質的に同一である複数の前記修復用人工歯の窩洞又は欠損部を、それぞれ互いに組成の異なる複数のコンポジットレジンを用いて修復してなる複数の修復サンプル
を含んでなり、
前記陳列面に並べて保持する全ての修復サンプルは、前記観察面が観察者から観察可能に配置される、ことを特徴とする前記デモンストレーション用器具。
【請求項２】
前記陳列用プレートの陳列面及び／又は前記修復サンプルの前記観察面の裏側の面には、前記修復サンプルを着脱可能に前記陳列面に保持できる保持手段が設けられていることを特徴とする請求項１に記載のデモンストレーション用器具。
【請求項３】
前記陳列面に複数並べて保持される個々の修復サンプルの前記第二の表面領域には、蛍光物質が含有されてなり、
前記第一の表面領域には蛍光物質が含有されていないか、前記第二の表面領域に含有される蛍光物質とは種類が異なる蛍光物質が含有されているか、又は前記第二の表面領域に含有される蛍光物質と同種の蛍光物質が前記第二の表面領域にける濃度とは有意に異なる濃度で含有されていることを特徴とする、請求項１又は２に記載のデモンストレーション用器具。
【請求項４】
請求項３に記載のデモンストレーション用器具の前記陳列面に保持された修復サンプルのコンポジットレジンによる修復部を確認するための方法であって、前記修復サンプルの観察面に前記第二の表面領域に含有される蛍光物質の励起光を照射して、前記第一の表面領域と前記第二の表面領域との発光状態の差により前記修復部を確認することを特徴とする方法。
【請求項５】
請求項１乃至３のいずれかに記載のデモンストレーション用器具で使用する修復モデルを製造するための修復用人工歯であって、それぞれ予め定めた、所定の形状及び所定の色調を有する人工歯の、予め定めた所定の位置に、予め定めた所定の形状及び深さを有する窩洞が形成されてなるか、又は予め定めた所定の位置に、予め定めた所定の形状の欠損部を設けてなることを特徴とする、前記修復用人工歯。
【請求項６】
コンポジットレジンによる歯牙修復状態を比較するために用いるデモンストレーション用器具であって、
請求項５に記載の修復用人工歯を複数並べて保持可能な陳列面を有する陳列用プレートと、複数の前記修復用人工歯と、を有してなり、当該複数の復用人工歯は、前記窩洞又は欠損部が観察者から観察可能となるようにして前記陳列面上に並べて保持されてなる、ことを特徴とする前記デモンストレーション用器具。
【発明の詳細な説明】
【技術分野】
【０００１】
本発明は、コンポジットレジンによる歯牙修復状態を比較するためのデモンストレーション用器具に関する。
【背景技術】
【０００２】
歯科用コンポジットレジン（以下、単に「ＣＲ」ともいう。）とは、齲蝕や破折等により損傷をうけた歯牙の修復をするための材料の一種であり、重合性単量体と、無機及び／又は有機のフィラーとを含む硬化性組成物からなる。歯科用コンポジットレジン（ＣＲ）を用いた修復（ＣＲ修復）は、歯質の切削量を少なくでき、天然歯牙色と同等の色調を付与できることや操作が容易なことから、急速に普及している。また、近年においては、機械的強度の向上や、歯牙との接着力の向上から、前歯部の修復のみならず、高い咬合圧が加わる臼歯部に対しても使用されている。
【０００３】
上記したように審美性の高い修復が可能であることがＣＲ修復の優れた特徴の一つであるが、審美性の高い修復を行うためには、修復する歯牙（被修復歯牙）の色（色相及び色調）を判別し（このような色の判別は、「シェードテイキング」と呼ばれることもある。）、判別された色に適合する色のＣＲを選択して修復を行う必要がある。この場合、１色のＣＲを用いて修復が行われることが多いが、歯牙の部位による色の変化を忠実に再現するような高い審美修復を行う場合には、色の異なる複数のＣＲを積層して修復することもある。
【０００４】
上記シェードテイキングは、シェードガイドと呼ばれる色調見本を用いて行われるのが一般的である。シェードガイドには、色見本の数や色見本を保持する保持用器具の構成等が色の判定作業をしやすいように工夫された様々なものがあるが、全１６種の色（色相と、明度及び彩度の混合指標との組み合わせからなる指標、又は色相、明度及び彩度を考慮した指標。以下このような指標で特定される色を「シェード」ともいう。）の見本からなり、該シェードガイドと修復部位および周囲の歯の色とを照らし合わせることで修復部位の色を決定することができるＶＩＴＡ社製の“ＶＩＴＡ  Ｃｌａｓｓｉｃａｌ”(商品名)が、最も広く普及している（特許文献１参照）。ＣＲについても顔料物質や染料物を用いて、上記１６種のシェードのものが取り揃えられることが多い。
【０００５】
しかしながら、同一のシェードであってもＣＲの種類によって微妙に色が異なっているため、正確なシェードテイキングを行うためにはＣＲごとにシェードガイドを用いて判別する必要があった。また、ＣＲでは硬化の前後で色調が変化するため、充填部位の色の適合性を判別する為には、実際に歯の修復部位に対し充填硬化させた後に判別する必要があり、所期の色が得られない場合には修復をやり直すこともあった。さらに、顔料物質や染料物質を用いて色（シェード）の調整を行った従来のＣＲでは、修復直後は高い色調適合性を示すが、時間が経過するに従って変色し、長期間経過後には修復部位の外観が天然歯と適合しなくなることがあった。
【０００６】
一方、光拡散性を付与することにより従来のＣＲよりも幅広い色調の歯牙に対して高い色調適合性を示すようにしたＣＲ（特許文献２参照）や、染料や顔料を使用することなく外観色調を制御でき、且つ退色や変色の少ないＣＲも提案されている（特許文献３参照）。
【先行技術文献】
【特許文献】
【０００７】
【特許文献１】特許第６００４７６９号
【特許文献２】特許第４８９５４４３号
【特許文献３】特許第６２５０２４５号
【発明の概要】
【発明が解決しようとする課題】
【０００８】
前記特許文献２に記載されているＣＲは、配合する有機無機複合フィラー屈折率と該有機無機複合フィラーが分散するマトリックスモノマーとの屈折率との差を調整することでＣＲ硬化体に入射した光を拡散させることにより光拡散性を高め、修復物の背景色や修復物と天然歯との輪郭をぼかす効果を付与したものである（以下、このような効果を有するＣＲを「光拡散性ＣＲ」ともいう。）。そのため、当該光拡散性ＣＲは、被修復歯牙の色が調和し易く、煩雑なシェードテイキングやコンポジットレジンのシェードの選択が容易になるという特徴を有する。
【０００９】
また、前記特許文献３に記載されているＣＲは、特定の平均粒子径及び粒度分布を有する球状フィラーを用い、当該球状フィラーの屈折率を硬化した時のマトリックスとなる樹脂部の屈折率よりも大きくすることにより、光の干渉や散乱等により構造色を発現するようにしたものであり（以下、このような構造色を発現するＣＲを「構造色系ＣＲ」ともいう。）、当該構造色系ＣＲは、次のような優れた特徴を有する。すなわち、（１）染料物質や顔料物質を用いていないので前記経時変色の問題が起こり難く、（２）（使用する球状フィラーの平均粒子径に応じて）象牙色質と同様の色である黄色〜赤色に着色することができ、しかも（３）硬化体が適度な透明性を有するため、被修復歯牙の色と調和し易く、煩雑なシェードテイキングやコンポジットレジンのシェード選択を行うことなく、１種類のコンポジットレジンで広範な色の被修復歯牙に対して天然歯に近い外観の修復を行うことができる、という優れた特徴を有する。
【００１０】
しかしながら、光拡散性ＣＲ及び構造色系ＣＲ（以下、これらを総称して「広範色適合性ＣＲ」ともいう。）におけるこれら効果は、非常に優れたものである半面、広範色適合性ＣＲ以外の従来のＣＲからは想像ができない効果であることから、実際に使用した経験を有しない歯科医等（以下、単に「無使用経験歯科医等」ともいう。）には中々理解され難い。そのため、思うように普及していないのが現状である。
【００１１】
また、広範色適合性ＣＲは、何れも色の適応範囲が広いとはいえ、特に光拡散性ＣＲにおいては１種のシェードのＣＲが適応できる被修復歯牙の色には限界がある。このため、より高い適合性を得るためには、被修復歯牙の色の範囲に応じて、異なるシェードの光拡散性ＣＲ又は異なる色の構造色を発現する構造色系ＣＲを選択して使用することが好ましい。ところが、これら広範色適合性ＣＲの適合シェード範囲を簡単に確認する手段は、今のところ存在しない。
【課題を解決するための手段】
【００１２】
本発明者らは、ＣＲによる歯牙修復状態を簡単に比較するためのデモンストレーション用器具を用いれば前記課題は解決できると考えた。すなわち、たとえば隣接シェード間の中間的な色相及び色調を有する歯牙を、シェードテイキングを行って選択した従来の（染料物質や顔料物質を用いた）ＣＲを用いて（模擬的に）修復した場合と、広範色適合性ＣＲを用いて（模擬的に）修復した場合と、について修復後の外観を比較できるようなデモンストレーション用器具を用いれば、広範色適合性ＣＲの前記優れた効果を無使用経験歯科医等に容易に理解してもらうことができ、延いてはこれら広範色適合性ＣＲの普及促進を図ることが可能となる。また、たとえば１種類の広範色適合性ＣＲを用いて広範なシェードの歯を（模擬的に）修復した時の修復状態を確認できるようなデモンストレーション用器具を用いれば、無使用経験歯科医等に対する効果認識に役立つだけでなく、広範色適合性ＣＲの適合シェード範囲を簡単に確認することができるようになり、実際の修復に際してより好ましい広範色適合性ＣＲを選択することが容易となる。
【００１３】
本発明は、このような着想に基づきなされたものであり、これまで知られていない新規なデモンストレーション用器具（デモンストレーション用ツール）を提供するものである。
【００１４】
すなわち、本発明は、コンポジットレジンによる歯牙修復状態を比較するためのデモンストレーション用器具であって、
複数の修復サンプルを並べて保持可能な陳列面を有する陳列用プレートと、前記陳列面に並べて保持され得る複数の修復サンプルと、を有してなり、
前記複数の修復サンプルを構成する個々の修復サンプルは、それぞれ予め定めた、所定の形状及び所定の色相及び色調（シェード）を有する人工歯の、予め定めた所定の位置に、予め定めた所定の形状及び深さを有する窩洞が形成されてなるか、又は予め定めた所定の位置に、予め定めた所定の形状の欠損部を設けてなる修復用人工歯の前記窩洞又は欠損部を、コンポジットレジンを用いて修復した修復物であり、
前記個々の修復サンプルは、人工歯部が露出している第一の表面領域及びコンポジットレジンによる修復部が露出している第二の表面領域を有する観察面を有してなり、
前記複数の修復サンプルは、
（１）互いに表面の色相及び／又は色調が異なる複数の前記修復用人工歯の窩洞又は欠損部を、それぞれ同一組成を有する１種類のコンポジットレジンを用いて修復してなる複数の修復サンプル又は
（２）表面の色相及び／又は色調が同一若しくは実質的に同一である複数の前記修復用人工歯の窩洞又は欠損部を、それぞれ互いに組成の異なる複数のコンポジットレジンを用いて修復してなる複数の修復サンプル
を含んでなり、
前記陳列面に並べて保持する全ての修復サンプルは、前記観察面が観察者から観察可能に配置される、
ことを特徴とする前記デモンストレーション用器具である。
【００１５】
上記本発明のデモンストレーション用器具においては、前記陳列用プレートの陳列面及び／又は前記修復サンプルの前記観察面の裏側の面には、前記修復サンプルを着脱可能に前記陳列面に保持できる保持手段が設けられていることが好ましい。
【００１６】
また、前記陳列面に複数並べて保持される個々の修復サンプルの前記第二の表面領域には、蛍光物質が含有されてなり、前記第一の表面領域には蛍光物質が含有されていないか、前記第二の表面領域に含有される蛍光物質とは種類が異なる蛍光物質が含有されているか、又は前記第二の表面領域に含有される蛍光物質と同種の蛍光物質が前記第二の表面領域にける濃度とは有意に異なる濃度で含有されていることが好ましい。
【００１７】
第二の本発明は、上記態様の本発明のデモンストレーション用器具の前記陳列面に保持された修復サンプルのコンポジットレジンによる修復部を確認するための方法であって、前記修復サンプルの観察面に前記第二の表面領域に含有される蛍光物質の励起光を照射して、前記第一の表面領域と前記第二の表面領域との発光状態の差により前記修復部を確認することを特徴とする方法である。
【００１８】
第三の本発明は、前記本発明のデモンストレーション用器具で使用する修復モデルを製造するための修復用人工歯であって、それぞれ予め定めた、所定の形状及び所定の色調を有する人工歯の、予め定めた所定の位置に、予め定めた所定の形状及び深さを有する窩洞が形成されてなるか、又は予め定めた所定の位置に、予め定めた所定の形状の欠損部を設けてなることを特徴とする、前記修復用人工歯である。
【００１９】
第四の本発明は、コンポジットレジンによる歯牙修復状態を比較するために用いるデモンストレーション用器具であって、前記本発明の修復用人工歯を複数並べて保持可能な陳列面を有する陳列用プレートと、複数の前記修復用人工歯と、を有してなり、当該複数の復用人工歯は、前記窩洞又は欠損部が観察者から観察可能となるようにして前記陳列面上に並べて保持されてなる、ことを特徴とする前記デモンストレーション用器具である。
【発明の効果】
【００２０】
本発明のデモンストレーション用器具を用いることにより、広範色適合性ＣＲの優れた特徴が容易に理解できるようになる。すなわち、光拡散性ＣＲにおいては、高い光拡散性に起因して得られる“修復物の背景色や修復物と天然歯との輪郭をぼかす効果”により、広範囲のシェードの被修復歯牙と調和し易く、シェードテイキングやコンポジットレジンのシェードの選択が容易になるという特徴が容易に理解できるようになる。また、構造色系ＣＲでは、修復後の経時変色が起こり難く、非常に広範囲のシェードの被修復歯牙の色と調和し易く、煩雑なシェードテイキングやコンポジットレジンのシェード選択を行うことなく、１種類のコンポジットレジンで広範な色の被修復歯牙に対して天然歯に近い外観の修復を行うことができる、という優れた特徴が容易に理解できるようになる。そして、その結果、たとえば展示会や、潜在顧客に対する商品紹介の場などで、本発明のデモンストレーション用器具を用いたデモンストレーションや、本発明の修復用人工歯を用いた模擬修復体験を通じて、広範色適合性ＣＲの良さを認識してもらうことが可能になり、延いては、広範色適合性ＣＲの普及促進を図ることが可能となる。
【００２１】
さらに、本発明のデモンストレーション用器具を用いることにより、広範色適合性ＣＲの適合シェード範囲を簡単に確認することができるようになり、実際の修復に際してより好ましい広範色適合性ＣＲを選択することが容易となる。
【図面の簡単な説明】
【００２２】
【図１】本図は、代表的な本発明のデモンストレーション用器具の平面図（上視図）であり、Ａ１〜Ａ３、Ｂ１、Ｂ２及びＣ１の各シェードの本発明の人工歯について１種類の構造色系ＣＲを用いて模擬修復した修復物を陳列用プレートの白色地の陳列面に並べて保持したものである。
【図２】本図は、第二の本発明の修復部の確認方法を説明するための図であり、上段は、自然光下で本発明のデモンストレーション用器具を見たときの様子を表し、下段は、自然光を遮光してブラックライト照射して見たときの様子を表している。
【図３】本図は、代表的な本発明の修復用人工歯（左図）とそれを用いた修復物の平面図である。
【発明を実施するための形態】
【００２３】
本発明の上記した作用および利得は、以下に説明する発明を実施するための形態から明らかにされる。
【００２４】
本発明のデモンストレーション用器具は、コンポジットレジンによる歯牙修復状態を比較するためのデモンストレーション用器具であって、複数の修復サンプルを並べて保持可能な陳列面を有する陳列用プレートと、前記陳列面に並べて保持され得る複数の修復サンプルと、を有してなる。
【００２５】
ここで、上記陳列用プレートは、後に詳述する複数の修復サンプルの保持するためのプレート状の部材であり、本体と陳列面を有する。陳列用プレート本体の大きさは、保持される修復サンプルの数や配置様式に応じて適宜決定されるが、通常は、縦３〜１０ｃｍ、横５〜１５ｃｍ、厚さ１〜３ｍｍの矩形板状体、好ましくは縦４〜７ｃｍ、横７〜１０ｃｍ、厚さ１〜２ｍｍの矩形板状体からなる。その材質は特に限定されず、ポリエチレン、ポリプロピレン、アクリロニトリルブタジエンスチレン（ＡＢＳ樹脂）、ポリカーボネート等の合成樹脂、ステンレス鋼板等の金属などが使用できるが、加工が容易で軽く腐食しないといった理由からポリプロピレン等の合成樹脂からなるものが好ましい。
【００２６】
前記陳列面は、複数の修復サンプルを並べて保持可能な面であり、色調が比較しやすいという理由から白色であることが好ましく、口腔内での色調を良く再現するという理由からは黒色であることが好ましい。さらに、陳列面には、保持される修復サンプルのシェードなどを簡便な説明（キャプション）を表示するためのキャプション表示部を有していることが好ましい。
【００２７】
修復サンプルの前記陳列面への保持は、通常、接着剤を用いて接着することにより行われるが、修復サンプルを着脱可能に保持するための保持手段を用いて保持することもできる。このような保持手段を用いることにより、１つの陳列用プレートで、対比したい修復サンプルを適宜交換して保持できるようになり、短い時間内に様々な観点からの比較、確認を行う場合には便利である。このような保持手段は、通常、陳列面に設置されるもの（一方の保持手段）と修復サンプルに設置されるもの（他方の保持手段）とがセットになって、着脱可能に修復サンプルを保持できるものであり、このような保持手段としては、面ファスナー、スナップボタン、各種ワンタッチコネクター又はワンタッチジョイントを挙げることができる。
【００２８】
本発明のデモンストレーション用器具で使用する前記複数の修復サンプルを構成する個々の修復サンプルは、それぞれ予め定めた、所定の形状及び所定の色相及び色調（シェード）を有する人工歯の、予め定めた所定の位置に、予め定めた所定の形状及び深さを有する窩洞が形成されてなるか、又は予め定めた所定の位置に、予め定めた所定の形状の欠損部を設けてなる修復用人工歯の前記窩洞を、コンポジットレジンを用いて修復した修復物である。
【００２９】
上記修復サンプルとなる修復物に用いる人工歯は、本発明の修復用人工歯でもあり、所定の形状及び所定のシェードを有し、所定の位置に前記窩洞が形成されたもの、又は予め定めた所定の位置に、予め定めた所定の形状の欠損部を設けてなるものであれば特に限定されず、たとえば、義歯床用人工歯として入手可能なアクリル系レジン歯や硬質レジン歯について、カーバイドバーやダイヤモンドバーを用いた切削加工行い、前記窩洞又は欠損部を形成したものが使用できる。
【００３０】
窩洞又は欠損部が形成される前の人工歯の材質や内部構造等は特に限定されないが、天然歯牙に近い内部構造を有しており、より精密な色調適合性の評価を実現できるという観点から、デンチン層とエナメル層等の多層構造を有するものを使用するのが好ましい。また、無使用経験歯科医等に模擬修復を行ってもらいその出来栄えを確認する場合などには、コストの観点かアクリル系レジン歯を使用することが好ましい。
【００３１】
人工歯は前歯、臼歯又はそれ以外でも構わないが、対比に適していると言う観点から形状及び大きさは、相互に対比される修復物の修復用人工歯間で統一さていることが好ましい。
【００３２】
窩洞又は欠損部の形状は目的に応じて適宜選択すればよいが、一般的な窩洞形態の分類であるＩ級〜Ｖ級窩洞より選択することが好ましい。形成位置、大きさ等は、目的に応じて適宜決定すればよいが、例えばＩ級窩洞においては、通常、本発明のデモンストレーション用器具を陳列用プレート下にして水平面に上に置いたときに、保持された修復物を真上から見たときに、その中央又は略中央となる位置に、口径２〜５ｍｍφ、深さ１〜４ｍｍ、特に口径３〜４ｍｍφ、深さ２〜４ｍｍの有底円筒状もしくは弾丸型状になるようにして形成することが好ましい。また、欠損部は、歯牙の破折部に対応するものであり、通常、保持された修復物を真上から見たときに、その周縁となる位置に形成されることが好ましい。対比に適していると言う観点から窩洞又は欠損部の形成位置、形状及び大きさ等は、相互に対比される修復物の修復用人工歯間で統一さていることが好ましい。
【００３３】
前記窩洞の修復に用いるコンポジットレジン（ＣＲ）は、対比の目的に応じて適宜決定される。たとえば、広範色適合性ＣＲの優れた特徴をデモンストレーションする場合（ケース１）や広範色適合性ＣＲの適合シェードを確認する場合（ケース２）には、広範色適合性ＣＲが使用される。また、前記デモンストレーションにおいて、広範色適合性ＣＲ以外の従来のＣＲを用いて（模擬）修復を行った場合との対比をする場合（ケース３）には、当該従来のＣＲも合わせて用いられる。
【００３４】
そして、前記複数の修復サンプルは、上記ケース１及び／又は２においては下記（１）に示す複数の修復サンプルを、上記ケース３においては下記（２）に示す複数の修復サンプルを含んでなることが好ましい。
（１）互いに表面の色相及び／又は色調が異なる複数の前記修復用人工歯の窩洞を、それぞれ同一組成を有する１種類のコンポジットレジンを用いて修復してなる複数の修復サンプル。
（２）表面の色相及び／又は色調が同一若しくは実質的に同一である複数の前記修復用人工歯の窩洞を、それぞれ互いに組成の異なる複数のコンポジットレジンを用いて修復してなる複数の修復サンプル。
【００３５】
ところで、広範色適合性ＣＲを用いて修復を行った場合には、修復部が目視で確認し難く、修復を行っていない人工歯と区別できないことがあり、観察者が修復サンプルを未加工の人工歯と誤認し、所期の目的を達成できない虞がある。このような誤認を防ぐために、修復に用いるＣＲは、蛍光物質を含有するもので有ることが好ましい。蛍光物質を含むＣＲを用いて作成した修復サンプルにブラックライトや紫外線などの、蛍光物質を発光させる高エネルギー光を照射した場合には、発光により修復部を容易に確認することができるようになる（図２参照）。人工歯にも蛍光物質が含まれることもあるので、ＣＲに含まれる蛍光物質の種類及び／又は濃度は、使用する人工歯に応じて、上記高エネルギー光によって修復部を認識できるように適宜決定することが好ましい。
【００３６】
修復サンプルは、人工歯部が露出している第一の表面領域及びコンポジットレジンによる修復部が露出している第二の表面領域を有する観察面を有してなるものとなり、前記陳列面に並べて保持するに際しては前記観察面が観察者から観察又は目視可能なように、好ましくは正対するようにして配置されることになる。複数の修復サンプルの配列、配置の仕方は、自由に設計可能であり、目的に応じて適した配列、配置を適宜採用すればよい。
【００３７】
たとえば、光拡散性ＣＲについて、前記ケース１及び２の目的で用いる場合には、効果又は適合シェード範囲を確認したい「特定シェードを有する光拡散性ＣＲ」に対し、当該シェードと同一シェードの修復用人工歯を用いて修復サンプル（「同一シェード修復サンプル」ともいう。）を準備すると共に、ＶＩＴＡシェードガイドを明度順に並べた場合において、当該シェードを中心として、その前後各２種以上（計４種以上）のシェード（「周辺シェード」ともいう。）の修復用人工歯を選択して、これらを用いた修復サンプル（「周辺シェード修復サンプル」ともいう。）を準備し、同一シェード修復サンプルと、周辺シェード修復サンプルの少なくとも１つ、好ましくは４種以上とを、シェードの明度順に並べて配列することが好ましい。このとき選択する周辺シェードは必ずしも、上記ＶＩＴＡシェードガイドの明度順列において、連続したものである必要はなく、適度な間隔をあけて選択してもよい。
【００３８】
なお、ＶＩＴＡシェードガイドを明度順に並べた時の順列（明度高→低）は、「Ｂ１→Ａ１→Ｂ２→Ｄ２→Ａ２→Ｃ１→Ｃ２→Ｄ４→Ａ３→Ｄ３→Ｂ３→Ａ３．５→Ｂ４→Ｃ３→Ａ４→Ｃ４」となっている。
【００３９】
上記目的での好適な配列・配置例を具体的に示せば、特定シェード（＝同一シェード）がＡ２である場合には、Ａ２の修復用人工歯をＡ２の光拡散性ＣＲで修復した同一シェード修復サンプルと、Ｂ１，Ａ１、Ｂ２、Ｃ１及びＡ３の各シェードの修復用人工歯をＡ２の光拡散性ＣＲで修復した周辺シェード修復サンプルを準備し、Ｂ１→Ａ１→Ｂ２→Ａ２（同一シェード修復サンプル）→Ｃ１→Ａ３のように配列配置した例を挙げることができる。
【００４０】
ことき、配列を２段にして、上段（又は下段）にＡ２の光拡散性ＣＲによる修復サンプルを上記配列で配置すると共に、下段（又は上段）にシェードＡ２の（広範色適合性ＣＲ以外の）従来のＣＲによる修復サンプルを、上段（又は下段）と対応するように配置した場合には、上記光拡散性ＣＲの適合シェード範囲の広さが、より実感できるものとなる。
【００４１】
また、構造色系ＣＲについて前記ケース１及び２の目的で用いる場合には、前記ＶＩＴＡシェードガイドの明度順列を５つのグループ、すなわち、グループ１：Ｂ１→Ａ１→Ｂ２、グループ２：Ｄ２→Ａ２→Ｃ１、グループ３：Ｃ２→Ｄ４→Ａ３→Ｄ３、グループ４：Ｂ３→Ａ３．５→Ｂ４、及びグループ５：Ｃ３→Ａ４→Ｃ４に分類し、このグループをベースに配置配列を構成することが好ましい。たとえば、各グループにおいて、Ａ系色の色見本であるＡ１、Ａ２、Ａ３、Ａ３．５およびＡ４を夫々基準シェードとし、これら５種の基準シェードの中から選んだ１種のシェード（「特定基準シェード」）を有する修復用人工歯を、効果又は適合シェード範囲を確認したい「特定の構造色系ＣＲ」で修復した修復サンプル（「特定修復サンプル」）を準備すると共に、選定した基準シェードが属するグループ以外のグループから選んだ１種以上のシェード（当該シェードは、特定基準シェード以外の基準シェードであってもよい。）を有する修復用人工歯を「特定の構造色系ＣＲ」で修復した１種以上の修復サンプル（「通常修復サンプル」）を準備し、明度順に配列することが好ましい。このように修復用人工歯を選択配列することで、異なる明度を有する修復用人工歯に対する色調適合性を評価することができ、上記構造色系ＣＲの適合シェードの広さが、より実感できるものとなる。
【００４２】
上記目的での好適な配列の例を具体的に示せば、特定基準シェードをＡ２とし、Ｂ１→Ａ２→Ａ４とする３修復サンプル配列、特定基準シェードをＡ１とし、Ｂ１→Ａ１→Ｃ１→Ｄ３→Ｂ４→Ａ４→Ｃ４とする７修復サンプル配列などを挙げることができる。
【００４３】
本発明のデモンストレーション用器具では、窩洞又は欠損部を形成した人工歯をＣＲにより修復したものをそのまま前記個々の修復サンプルとしてよいが、陳列用プレートの陳列面に保持するときの保持のし易さを改善するために、前記修復を行う前の人工歯又は修復後の人工歯の裏側（陳列面と接合される側）に加工を施してもよい。たとえば、接着剤を用いて接着する際の接着面積を大きくするために、一部を切削して平たん部を形成しても良いし、前記保持手段の一方（修復サンプルに設置されるもの）を設置してもよい。
【００４４】
以下、図面を参照して本発明について更に詳しく説明するが、本発明はこれら図面に示される態様に限定されるものではない。
【００４５】
図１に、代表的な本発明のデモンストレーション用器具１０の平面図（上視図）を示す。当該デモンストレーション用器具１０では、陳列プレート２０の陳列面３０上に、Ａ１〜Ａ３、Ｂ１、Ｂ２及びＣ１の各シェードの人工歯について１種類の構造色系ＣＲを用いて模擬修復した修復物からなる計６個の修復サンプル５０が並べて保持されている。陳列面３０は白色であり、各修復サンプル５０のシェードがキャプション部４０に表記されている。
【００４６】
図２には、蛍光物質を含む構造色系ＣＲで修復した修復サンプル５０を配列した本発明のデモンストレーション用器具について、自然光下で目視される状態（ａ）と、自然光を遮光してブラックライト照射した時の状態（ｂ）を示している。（ａ）の状態ではＣＲ修復部は認識し難いが、陳列面３０が黒色であることもあり、（ｂ）の状態で、蛍光により発光しているＣＲ修復部と、人工歯部５２とのコントラストが鮮明となり、ＣＲ修復部の位置がハッキリと確認できるようになっている。
【００４７】
図３には、（Ａ）に代表的な本発明の修復用人工歯６１を、（Ｂ）に当該修復用人工歯６１を用いて製造した修復サンプルを示している。（Ｂ）の点線で囲われた部分がＣＲ修復部である。
【符号の説明】
【００４８】
１０・・・デモンストレーション用器具
２０・・・陳列プレート
３０・・・陳列面
４０・・・キャプション部
５０・・・修復サンプル
５１・・・ＣＲ修復部
５２・・・人工歯部
６０・・・修復用人工歯
６１・・・窩洞
【図１】
2019211704.tif 000003
【図２】
2019211704.tif 000004
【図３】
2019211704.tif 000005
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
コンポジットレジンによる歯牙修復状態を比較するためのデモンストレーション用器具であって、
複数の修復サンプルを並べて保持可能な陳列面を有する陳列用プレートと、
前記陳列面に並べて保持され得る複数の修復サンプルと、を有してなり、
前記複数の修復サンプルを構成する個々の修復サンプルは、
（ａ）所定の形状並びに所定の色相及び色調を有する人工歯の所定の位置に、所定の形状及び深さを有する窩洞が形成されてなる修復用人工歯における前記窩洞を、コンポジットレジンを用いて修復した修復物であるか、又は
（ｂ）所定の形状並びに所定の色相及び色調を有する人工歯の所定の位置に、所定の形状の欠損部が形成されてなる修復用人工歯における前記欠損部を、コンポジットレジンを用いて修復した修復物であり、
前記個々の修復サンプルは、人工歯部が露出している第一の表面領域及びコンポジットレジンによる修復部が露出している第二の表面領域を有する観察面を有してなり、
前記複数の修復サンプルは、
（１）互いに表面の色相及び／又は色調が異なる複数の前記修復用人工歯の窩洞又は欠損部を、それぞれ同一組成を有する１種類のコンポジットレジンを用いて修復してなる複数の修復サンプル又は
（２）表面の色相及び／又は色調が同一若しくは実質的に同一である複数の前記修復用人工歯の窩洞又は欠損部を、それぞれ互いに組成の異なる複数のコンポジットレジンを用いて修復してなる複数の修復サンプル
を含んでなり、
前記陳列面に並べて保持する全ての修復サンプルは、前記観察面が観察者から観察可能に配置される、ことを特徴とする前記デモンストレーション用器具。
【請求項２】
前記陳列用プレートの陳列面及び／又は前記修復サンプルの前記観察面の裏側の面には、前記修復サンプルを着脱可能に前記陳列面に保持できる保持手段が設けられていることを特徴とする請求項１に記載のデモンストレーション用器具。
【請求項３】
前記陳列面に複数並べて保持される個々の修復サンプルの前記第二の表面領域に蛍光物質を含有させると共に、
１）前記第一の表面領域に蛍光物質を含有させないか、
２）前記第二の表面領域に含有される蛍光物質とは種類が異なる蛍光物質を前記第一の表面領域に含有させるか、又は
３）前記第二の表面領域に含有される蛍光物質と同種の蛍光物質を前記第二の表面領域における濃度とは有意に異なる濃度で前記第一の表面領域に含有させる、
ことによって、前記修復サンプルの観察面に前記第二の表面領域に含有させた蛍光物質の励起光を照射したときに、前記第一の表面領域の発色状態と前記第二の表面領域の発色状態とが異なるようにしたことを特徴とする、請求項１又は２に記載のデモンストレーション用器具。
【請求項４】
請求項３に記載のデモンストレーション用器具の前記陳列面に保持された修復サンプルのコンポジットレジンによる修復部を確認するための方法であって、前記修復サンプルの観察面に前記第二の表面領域に含有される蛍光物質の励起光を照射して、前記第一の表面領域と前記第二の表面領域との発光状態の差により前記修復部を確認することを特徴とする方法。
【請求項５】
請求項１乃至３のいずれかに記載のデモンストレーション用器具における前記複数の修復サンプルを製造するための複数の修復用人工歯であって、
当該複数の修復用人工歯を構成する個々の修復用人工歯は、
（ａ）所定の形状並びに所定の色相及び色調を有する人工歯の所定の位置に、所定の形状及び深さを有する窩洞が形成されてなるか、又は
（ｂ）所定の形状並びに所定の色相及び色調を有する人工歯の所定の位置に、所定の形状の欠損部が形成されてなり、
前記個々の修復用人工歯の形状及び大きさは、前記複数の修復用人工歯間で統一されており、
前記個々の修復用人工歯における、前記窩洞又は前記欠損部が形成される位置、並びに前記窩洞又は前記欠損部の形状及び大きさが前記複数の修復用人工歯間で統一されている、
ことを特徴とする、複数の修復用人工歯。
【請求項６】
請求項１乃至３のいずれかに記載のデモンストレーション用器具を製造するためのデモンストレーション用器具であって、
請求項５に記載の複数の修復用人工歯を並べて保持可能な陳列面を有する陳列用プレートと、前記複数の修復用人工歯と、を有してなり、
当該複数の修復用人工歯は、
（１）互いに表面の色相及び／又は色調が異なる複数の前記修復用人工歯の窩洞又は欠損部を、同一組成を有する１種類のコンポジットレジンを用いて修復することによって前記複数の修復サンプルとされるか、又は
（２）表面の色相及び／又は色調が同一若しくは実質的に同一である複数の前記修復用人工歯の窩洞又は欠損部を、それぞれ互いに組成の異なる複数のコンポジットレジンを用いて修復することによって前記複数の修復サンプルとされる、
ことを特徴とするデモンストレーション用器具。
【手続補正２】
【補正対象書類名】明細書
【補正対象項目名】００１４
【補正方法】変更
【補正の内容】
【００１４】
すなわち、第一の本発明は、コンポジットレジンによる歯牙修復状態を比較するためのデモンストレーション用器具であって、
複数の修復サンプルを並べて保持可能な陳列面を有する陳列用プレートと、
前記陳列面に並べて保持され得る複数の修復サンプルと、を有してなり、
前記複数の修復サンプルを構成する個々の修復サンプルは、
（ａ）所定の形状並びに所定の色相及び色調を有する人工歯の所定の位置に、所定の形状及び深さを有する窩洞が形成されてなる修復用人工歯における前記窩洞を、コンポジットレジンを用いて修復した修復物であるか、又は
（ｂ）所定の形状並びに所定の色相及び色調を有する人工歯の所定の位置に、所定の形状の欠損部が形成されてなる修復用人工歯における前記欠損部を、コンポジットレジンを用いて修復した修復物であり、
前記個々の修復サンプルは、人工歯部が露出している第一の表面領域及びコンポジットレジンによる修復部が露出している第二の表面領域を有する観察面を有してなり、
前記複数の修復サンプルは、
（１）互いに表面の色相及び／又は色調が異なる複数の前記修復用人工歯の窩洞又は欠損部を、それぞれ同一組成を有する１種類のコンポジットレジンを用いて修復してなる複数の修復サンプル又は
（２）表面の色相及び／又は色調が同一若しくは実質的に同一である複数の前記修復用人工歯の窩洞又は欠損部を、それぞれ互いに組成の異なる複数のコンポジットレジンを用いて修復してなる複数の修復サンプル
を含んでなり、
前記陳列面に並べて保持する全ての修復サンプルは、前記観察面が観察者から観察可能に配置される、ことを特徴とする前記デモンストレーション用器具である。
【手続補正３】
【補正対象書類名】明細書
【補正対象項目名】００１６
【補正方法】変更
【補正の内容】
【００１６】
また、前記陳列面に複数並べて保持される個々の修復サンプルの前記第二の表面領域に蛍光物質を含有させると共に、１）前記第一の表面領域に蛍光物質を含有させないか、２）前記第二の表面領域に含有される蛍光物質とは種類が異なる蛍光物質を前記第一の表面領域に含有させるか、又は３）前記第二の表面領域に含有される蛍光物質と同種の蛍光物質を前記第二の表面領域における濃度とは有意に異なる濃度で前記第一の表面領域に含有させる、ことによって、前記修復サンプルの観察面に前記第二の表面領域に含有させた蛍光物質の励起光を照射したときに、前記第一の表面領域の発色状態と前記第二の表面領域の発色状態とが異なるようにすることが好ましい。
【手続補正４】
【補正対象書類名】明細書
【補正対象項目名】００１８
【補正方法】変更
【補正の内容】
【００１８】
第三の本発明は、前記第一の本発明のデモンストレーション用器具における前記複数の修復サンプルを製造するための複数の修復用人工歯であって、当該複数の修復用人工歯を構成する個々の修復用人工歯は、（ａ）所定の形状並びに所定の色相及び色調を有する人工歯の所定の位置に、所定の形状及び深さを有する窩洞が形成されてなるか、又は（ｂ）所定の形状並びに所定の色相及び色調を有する人工歯の所定の位置に、所定の形状の欠損部が形成されてなり、前記個々の修復用人工歯の形状及び大きさは、前記複数の修復用人工歯間で統一されており、前記個々の修復用人工歯における、前記窩洞又は前記欠損部が形成される位置、並びに前記窩洞又は前記欠損部の形状及び大きさが前記複数の修復用人工歯間で統一されている、ことを特徴とする、複数の修復用人工歯である。
【手続補正５】
【補正対象書類名】明細書
【補正対象項目名】００１９
【補正方法】変更
【補正の内容】
【００１９】
第四の本発明は、前記第一の本発明のデモンストレーション用器具を製造するためのデモンストレーション用器具であって、前記第三の本発明の請求項５に記載の複数の修復用人工歯を並べて保持可能な陳列面を有する陳列用プレートと、前記複数の修復用人工歯と、を有してなり、当該複数の修復用人工歯は、（１）互いに表面の色相及び／又は色調が異なる複数の前記修復用人工歯の窩洞又は欠損部を、同一組成を有する１種類のコンポジットレジンを用いて修復することによって前記複数の修復サンプルとされるか、又は（２）表面の色相及び／又は色調が同一若しくは実質的に同一である複数の前記修復用人工歯の窩洞又は欠損部を、それぞれ互いに組成の異なる複数のコンポジットレジンを用いて修復することによって前記複数の修復サンプルとされる、ことを特徴とするデモンストレーション用器具である。